(57)【要約】  本発明の実施形態は、SIMカードに基づく通信の方法、装置、およびシステムを開示している。本発明の実施形態によれば、第1のモバイル端末のSIMカードは、SIMカード内の情報を取得するためにNFCを用いてリモートアクセスされ、次いで、SIMカード内の情報に従って通信が実行され、これにより、SIMカードのワイヤレス通信が実現され、ユーザによってSIMカードがモバイル端末に挿入されなくても、通信機能が実装され得る。
2016511991.tif 000002
【特許請求の範囲】
【請求項１】
加入者識別モジュールに基づく通信方法であって、
近距離無線通信を用いて第1のデバイスの加入者識別モジュールにリモートアクセスして、前記加入者識別モジュール内の情報を取得するステップと、
前記加入者識別モジュール内の前記情報に従って通信を実行するステップとを含む通信方法。
【請求項２】
近距離無線通信を用いて第1のデバイスの加入者識別モジュールにリモートアクセスして、前記加入者識別モジュール内の情報を取得する前記ステップは、
近距離無線通信を用いて、前記第1のデバイスの前記加入者識別モジュールが適切な位置にあるかどうかを判定するステップと、
前記第1のデバイスの前記加入者識別モジュールが適切な位置にあると判定されたときに、近距離無線通信を用いて前記加入者識別モジュール内の前記情報を取得するステップとを含む請求項1に記載の方法。
【請求項３】
前記加入者識別モジュール内の前記情報に従って通信を実行する前記ステップは、
前記加入者識別モジュール内の前記情報に従って基地局へのネットワーク登録を実行するステップと、
前記ネットワーク登録が成功した後に、前記基地局を使用することによってデータ伝送を実行するステップとを含む請求項1に記載の方法。
【請求項４】
前記加入者識別モジュール内の前記情報に従って通信を実行する前記ステップは、
前記加入者識別モジュール内の前記情報に従ってインターネットデータ伝送を実行するステップを含む請求項1に記載の方法。
【請求項５】
近距離無線通信を用いて第1のデバイスの加入者識別モジュールにリモートアクセスする前記ステップの前に、
前記第1のデバイスの前記加入者識別モジュールにリモートアクセスするための許可を取得するステップをさらに含む請求項1から4のいずれか一項に記載の方法。
【請求項６】
前記第1のデバイスの前記加入者識別モジュールにリモートアクセスするための許可を取得する前記ステップは、
前記第1のデバイスの前記加入者識別モジュールにリモートアクセス要求を送信し、前記加入者識別モジュールによって返されるリモートアクセス受け入れ許可を受信するステップ、または
前記第1のデバイスの前記加入者識別モジュールによって送信されたリモートアクセス招待を受信し、前記リモートアクセス招待を受け入れるステップを含む請求項5に記載の方法。
【請求項７】
加入者識別モジュールに基づく通信装置であって、
近距離無線通信を用いて第1のデバイスの加入者識別モジュールにリモートアクセスして、前記加入者識別モジュール内の情報を取得するように構成されたアクセスユニットと、
前記加入者識別モジュール内の前記情報に従って通信を実行するように構成された通信ユニットとを備える加入者識別モジュールに基づく通信装置。
【請求項８】
前記アクセスユニットは、近距離無線通信を用いて、前記第1のデバイスの前記加入者識別モジュールが適切な位置にあるかどうかを判定し、前記第1のデバイスの前記加入者識別モジュールが適切な位置にあると判定したときに、近距離無線通信を用いて前記加入者識別モジュール内の前記情報を取得するように特に構成される請求項7に記載の加入者識別モジュールに基づく通信装置。
【請求項９】
前記通信ユニットは、登録サブユニットと送信サブユニットとを備え、
前記登録サブユニットは、前記加入者識別モジュール内の前記情報に従って基地局へのネットワーク登録を実行するように構成され、
前記送信サブユニットは、前記ネットワーク登録が成功した後に、前記基地局を使用することによってデータ伝送を実行するように構成される請求項7に記載の加入者識別モジュールに基づく通信装置。
【請求項１０】
前記通信ユニットは、前記加入者識別モジュール内の前記情報に従ってインターネットデータ伝送を実行するように特に構成される請求項7に記載の加入者識別モジュールに基づく通信装置。
【請求項１１】
許可ユニットをさらに備え、
前記許可ユニットは、前記第1のデバイスの前記加入者識別モジュールにリモートアクセスするための許可を取得するように構成される請求項7から10のいずれか一項に記載の加入者識別モジュールに基づく通信装置。
【請求項１２】
前記許可ユニットは、リモートアクセス要求を前記第1のデバイスの前記加入者識別モジュールに送信し、前記加入者識別モジュールによって返されるリモートアクセス受け入れ許可を受信するように特に構成されるか、または
前記許可ユニットは、前記第1のデバイスの前記加入者識別モジュールによって送信されたリモートアクセス招待を受信し、前記リモートアクセス招待を受け入れるように特に構成される請求項7から11のいずれか一項に記載の加入者識別モジュールに基づく通信装置。
【請求項１３】
請求項7から12のいずれか一項に記載の加入者識別モジュールに基づく通信装置を備える、通信システム。
【発明の詳細な説明】
【技術分野】
【０００１】
本出願は、その全体が参照により本明細書に組み込まれている、2013年3月20日に中国特許庁に出願した中国特許出願第201310090186.X号、名称「COMMUNICATIONS METHOD, APPARATUS, AND SYSTEM BASED ON SUBSCRIBER IDENTITY MODULE」の優先権を主張するものである。
【０００２】
本発明は、通信技術の分野に関するものであり、特に、加入者識別モジュール(SIM、Subscriber identity module)に基づく通信の方法、装置、およびシステムに関するものである。
【背景技術】
【０００３】
通信技術の発展により、モバイル端末の活用は人々の日常生活の欠かせない一部になった。モバイル端末の使用中には、いくつかのシナリオ、たとえば、電池残量低下または故障の発生が生じることがたびたびあり、そのような場合、ユーザは通信のために別のモバイル端末を使用せざるを得ない。従来技術では、ユーザが、さまざまな要因により、たとえば、中古モバイル端末に、ユーザが必要とする電話番号が記憶されていないという理由で、通信のために別のモバイル端末を使用するときに、ユーザは、通常、加入者識別モジュール(SIM、Subscriber identity module、SIMカードとも称される)を元のモバイル端末から取り外し、次いで、SIMカード(すなわち、元のモバイル端末のSIMカード、略して元SIMカード)を中古モバイル端末に装着し、それにより、中古モバイル端末を使用することによって元SIMカードで通信を実装する目的を達成することを好む。
【０００４】
従来技術の研究および実装作業の過程で、本発明の発明者は、既存の解決策の実装プロセスは、過度に煩雑なものとなっている、たとえば、最初に元のモバイル端末の電源を切る必要があり、元のモバイル端末のSIMカードを取り外し、中古モバイル端末の電源を切り、中古モバイル端末のSIMカードを取り外し、次いで、元のモバイル端末のSIMカードを中古モバイル端末に装着し、次いで中古モバイル端末の電源を投入し、通信が完了した後、SIMカードを再び交換する必要がある、ということに気付いた。このプロセスは、非常に煩雑であり、使用するにはきわめて不便である。
【発明の概要】
【課題を解決するための手段】
【０００５】
本発明の実施形態は、SIMカードに基づく通信の方法、装置、およびシステムを実現するものであり、これはSIMカードのワイヤレス通信を実現することができ、これにより、ユーザは、SIMカードをモバイル端末に挿入しなくても、通信機能を実装することができる。
【０００６】
第1の態様によれば、本発明の一実施形態は、SIMカードに基づく通信方法を提供し、この方法は
近距離無線通信(NFC、Near Field Communication)を用いて第1のデバイスのSIMカードにリモートアクセスして、SIMカード内の情報を取得するステップと、
SIMカード内の情報に従って通信を実行するステップとを含む。
【０００７】
第1の態様に関して、第1の可能な実装方法において、NFCを用いて第1のデバイスのSIMカードにリモートアクセスして、SIMカード内の情報を取得するステップは、
NFCを用いて、第1のデバイスのSIMカードが適切な位置にあるかどうかを判定するステップと、第1のデバイスのSIMカードが適切な位置にあると判定されたときに、NFCを用いてSIMカード内の情報を取得するステップとを含み得る。
【０００８】
第1の態様に関して、第2の可能な実装方法において、SIMカード内の情報に従って通信を実行するステップは、
SIMカード内の情報に従って基地局へのネットワーク登録を実行するステップと、ネットワーク登録が成功した後に、基地局を使用することによってデータ伝送を実行するステップとを含み得る。
【０００９】
第1の態様に関して、第3の可能な実装方法において、SIMカード内の情報に従って通信を実行するステップは、
加入者識別モジュール内の情報に従ってインターネットデータ伝送を実行するステップも含み得る。
【００１０】
第1の態様の第1の可能な実装方法、第2の可能な実装方法、または第3の可能な実装方法に関して、第4の可能な実装方法において、NFCを用いて第1のデバイスのSIMカードにリモートアクセスするステップの前に、この方法は、
たとえば特に以下のようなものであってよい、第1のデバイスのSIMカードにリモートアクセスするための許可を取得するステップ、すなわち、
第1のデバイスのSIMカードにリモートアクセス要求を送信し、SIMカードによって返されるリモートアクセス受け入れ(remote access accept)許可を受信するステップ、または
第1のデバイスのSIMカードによって送信されたリモートアクセス招待(remote access invitation)を受信し、リモートアクセス招待を受け入れるステップをさらに含み得る。
【００１１】
第2の態様によれば、本発明の一実施形態は、SIMカードに基づく通信装置をさらに実現し、この装置はアクセスユニットおよび通信ユニットを備え、
アクセスユニットは、NFCを用いて第1のデバイスのSIMカードにリモートアクセスして、SIMカード内の情報を取得するように構成され、および
通信ユニットは、SIMカード内の情報に従って通信を実行するように構成される。
【００１２】
第2の態様に関して、第1の可能な実装方法において、アクセスユニットは、NFCを用いて、第1のデバイスのSIMカードが適切な位置にあるかどうかを判定し、第1のデバイスのSIMカードが適切な位置にあると判定したときに、NFCを用いてSIMカード内の情報を取得するように特に構成され得る。
【００１３】
第2の態様に関して、第2の可能な実装方法において、通信ユニットは、特に以下のようなものであってよい、登録サブユニットおよび送信サブユニットを備えることができる、すなわち、
登録サブユニットは、SIMカード内の情報に従って基地局へのネットワーク登録を実行するように構成され、および
送信サブユニットは、ネットワーク登録が成功した後に、基地局を使用することによってデータ伝送を実行するように構成される。
【００１４】
第2の態様に関して、第3の可能な実装方法において、通信ユニットは、加入者識別モジュール内の情報に従ってインターネットデータ伝送を実行するように特に構成され得る。
【００１５】
第2の態様の第1の可能な実装方法、第2の可能な実装方法、または第3の可能な実装方法に関して、第4の可能な実装方法において、SIMカードに基づく通信装置は、特に以下のようなものであってよい、許可ユニットをさらに備えることができる、すなわち、
許可ユニットは、第1のデバイスのSIMカードにリモートアクセスするための許可を取得するように構成され、
たとえば、許可ユニットは、第1のデバイスのSIMカードにリモートアクセス要求を送信し、SIMカードによって返されるリモートアクセス受け入れ許可を受信するように特に構成され得るか、または
許可ユニットは、第1のデバイスのSIMカードによって送信されたリモートアクセス招待を受信し、リモートアクセス招待を受け入れるように特に構成され得る。
【００１６】
第3の態様により、本発明の一実施形態は、本発明の実施形態によるSIMカードに基づく任意の通信装置を備える、通信システムをさらに実現する。
【００１７】
本発明の実施形態によれば、第1のデバイスのSIMカードは、SIMカード内の情報を取得するためにNFCを用いてリモートアクセスされ、次いで、SIMカード内の情報に従って通信が実行され、これにより、SIMカードのワイヤレス通信が実現され、ユーザによってSIMカードがモバイル端末に挿入されなくても、通信機能が実装され得る。
【００１８】
本発明の実施形態における技術的解決策をより明確に説明するために、以下において、実施形態の説明に必要な添付図面を簡単に紹介する。明らかに、以下の説明の添付図面は、本発明のいくつかの実施形態を示しているにすぎず、当業者であれば、創造的労力を費やすことなくこれらの添付図面から他の図面をさらに導き出すことができる。
【図面の簡単な説明】
【００１９】
【図１】本発明の一実施形態によるSIMカードに基づく通信方法の流れ図である。
【図２ａ】本発明の一実施形態によるSIMカードに基づく通信方法のシナリオの概略図である。
【図２ｂ】本発明の一実施形態によるSIMカードに基づく通信方法の別の流れ図である。
【図３ａ】本発明の一実施形態によるSIMカードに基づく通信方法の別のシナリオの概略図である。
【図３ｂ】本発明の一実施形態によるSIMカードに基づく通信方法のさらに別の流れ図である。
【図４ａ】本発明の一実施形態によるSIMカードに基づく通信装置の概略構造図である。
【図４ｂ】本発明の一実施形態によるSIMカードに基づく通信装置の別の概略構造図である。
【図５】本発明の一実施形態による通信システムの概略構造図である。
【発明を実施するための形態】
【００２０】
以下では、本発明の実施形態の添付図面を参照しつつ本発明の実施形態の技術的解決方法について明確に、かつ完全に説明する。明らかに、説明されている実施形態は、本発明の実施形態のすべてではなくむしろ一部にすぎない。創造的労力を費やすことなく本発明の実施形態に基づいて当業者が得る他のすべての実施形態は、本発明の保護の範囲内に収まるものとする。
【００２１】
本発明の実施形態は、以下で別に詳しく説明されている、SIMカードに基づく通信の方法、装置、およびシステムを実現するものである。
【００２２】
実施形態1
この実施形態は、加入者識別モジュールに基づく通信装置の観点から説明されており、加入者識別モジュールに基づく通信装置は、特に、モバイル端末であってよく、モバイル端末は、特に、携帯電話またはタブレットコンピュータなどのデバイスであってもよい。
【００２３】
提供される、SIMカードに基づく通信方法は、NFCを用いて第1のデバイスのSIMカードにリモートアクセスして、SIMカード内の情報を取得するステップと、SIMカード内の情報に従って通信を実行するステップとを含む。
【００２４】
図1に示されているように、具体的な手順は以下のとおりであるものとしてよい。
【００２５】
101: 近距離無線通信(NFC、Near Field Communication)を用いて第1のデバイスのSIMカードにリモートアクセスして、SIMカード内の情報を取得する。これは、たとえば、特に以下のとおりであるものとしてよい。
【００２６】
NFCを用いて、第1のデバイスのSIMカードが適切な位置にあるかどうかが判定される。SIMカードが適切な位置にある場合、SIMカード内の情報は、NFCを用いて取得される。SIMカードが適切な位置にない場合、手順は終了し、適宜、この場合に、ユーザは、第1のデバイスのSIMカードが適切な位置にないことを気付かされるものとしてよい。
【００２７】
SIMカードが「適切な位置にある」ということは、カードが検出され得ること、すなわち、SIMカードが第1のデバイス内に存在するかどうかがNFCを用いて検出されることを意味する。SIMカードが第1のデバイス内に存在する場合、これは、第1のデバイスのSIMカードが適切な位置にあることを示し、SIMカードが第1のデバイス内に存在しない場合、これは、第1のデバイスのSIMカードが適切な位置にないことを示す。
【００２８】
たとえば、加入者識別モジュールに基づく通信装置は、NFCモジュールと、アプリケーションプロセッサと、モデム(Modem)とを備えることができ、NFCモジュールは、NFC機能を提供し、たとえば、NFCモジュールは、特に、NFCチップであり、アプリケーションプロセッサは、シリアルポートまたはUSBを通じてモデムに接続され得る。モデムは、SIMカード内の情報を取得し(通信装置のSIMカード内の情報を取得するステップと、NFCモジュールを使用することによって別のSIMカード内の情報にリモートアクセスするステップとを含む)、SIMカード内の情報に従って基地局と通信するためにもっぱら使用され、アプリケーションプロセッサは、さまざまな端末アプリケーションまたはサービスを処理するためにもっぱら使用され、モデムは、コマンド(Command)チャネルを通じてアプリケーションプロセッサに制御コマンドを配信するか、またはコマンドチャネルを通じてアプリケーションプロセッサによって送信される制御コマンドを受信することができ、モデムとアプリケーションプロセッサとの間のデータ伝送は、データ(DATA)チャネルを通じて実装され得る。
【００２９】
加入者識別モジュールに基づく通信装置が、NFCモジュールと、アプリケーションプロセッサと、モデムとを備える場合、特に、アプリケーションプロセッサは、NFCモジュールを使用することによって、第1のデバイスのSIMカードが適切な位置にあるかどうかを判定することができる。SIMカードが適切な位置にある場合、アプリケーションプロセッサは、モデムをトリガし、モデムは、NFCモジュールを使用することによってSIMカード内の情報を取得する。
【００３０】
第1のデバイスは、特にSIMカードが装填され得るSIMカードモジュールであってよい、すなわち、SIMカードモジュールは、読み書きモジュールおよびNFCモジュールを備えるものとしてよく、これによりSIMカードモジュールは、SIMカードの読み書きの機能およびNFC通信を実行する機能を有することに留意されたい。読み書きモジュールおよびNFCモジュールは、複数の形態で実装されるものとしてよく、たとえば、読み書きモジュールは、特に、SIMカードが挿入されるスロットであってよく、またNFCモジュールは、特に、NFCチップがあってもよい。SIMカードモジュールは、モバイル端末(この実施形態の実行本体と異なる別のモバイル端末を指す)から独立しているか、またはモバイル端末(この実施形態の実行本体と異なる別のモバイル端末を指す)内に組み込まれていてもよい。
【００３１】
それに加えて、NFCは近距離高周波ワイヤレス通信技術であるため、加入者識別モジュールに基づく通信装置と第1のデバイスとの間の距離は、NFCが実装され得る範囲内に保たれるべきである、たとえば、加入者識別モジュールに基づく通信装置と第1のデバイスとの間の距離は、10cm以内に保たれ、また別の例では、加入者識別モジュールに基づく通信装置は、第1のデバイスに寄り掛かるものであってもよいことにさらに留意されたい。
【００３２】
102: SIMカード内にあり、ステップ101で取得される情報に従って通信を実行する。これは、たとえば、特に以下のとおりであるものとしてよい。
【００３３】
ネットワーク登録は、SIMカード内の情報に従って基地局を使用することによって実行され、ネットワーク登録が成功した後に、データ伝送は、基地局を使用することによって実行され、および/またはインターネットデータ伝送も、加入者識別モジュール内の情報に従って実行され得る。
【００３４】
たとえば、加入者識別モジュールに基づく通信装置が、NFCモジュールと、アプリケーションプロセッサと、モデムとを備える場合、特に、モデムは、SIMカード内の情報に従って基地局を使用することによってネットワーク登録を実行することができ、ネットワーク登録が成功した後に、アプリケーションプロセッサが、モデムを使用することによって基地局とのデータ伝送(すなわち、データ交換)を実行することができ、および/またはアプリケーションプロセッサは、モデムを使用することによってSIMカード内の情報に従ってインターネットとのデータ伝送(すなわち、データ交換)を実行する。
【００３５】
データ伝送は、音声通信(電話をかける)、SMSメッセージ通信、またはMMSメッセージ通信などの複数の形態をとり得る。すなわち、「基地局を使用することによってデータ伝送を実行する」ステップは、特に、
基地局を使用することによって音声、SMSメッセージ、またはMMSメッセージなどの音声データ伝送を実行するステップを含み得る。
【００３６】
それに加えて、個人情報の保護を強化するために、NFCを用いてSIMカードにリモートアクセスする機能に対して特定の許可が設定されるものとしてよく、これにより、SIMカードは、SIMカードがリモートアクセスを許可した後にのみNFCを用いてリモートアクセスされ得る、すなわち、「NFCを用いて第1のデバイスのSIMカードにリモートアクセスする」ステップの前に、SIMカードに基づく通信方法は、
第1のデバイスのSIMカードにリモートアクセスするための許可を取得するステップをさらに含み得る。
【００３７】
たとえば、特に、リモートアクセス要求が、第1のデバイスのSIMカードに送信され、SIMカードによって返されるリモートアクセス受け入れ許可が、受信され得るか、または
特に、第1のデバイスのSIMカードによって送信されたリモートアクセス招待が受信され、リモートアクセス招待が受け入れられ得る。
【００３８】
前述のことから、本発明のこの実施形態によれば、第1のデバイスのSIMカードは、SIMカード内の情報を取得するためにNFCを用いてリモートアクセスされ、次いで、SIMカード内の情報に従って通信が実行され、これにより、SIMカードのワイヤレス通信が実現され、ユーザによってSIMカードがモバイル端末に挿入されなくても、通信機能が実装され得ることを知ることができる。
【００３９】
実施形態1で説明されている方法によれば、以下の実施形態2および実施形態3の例を使用することによって、詳細にさらに説明する。
【００４０】
実施形態2
この実施形態では、第1のデバイスが、特に、モバイル端末Aとは独立しているSIMカードモジュールであり、加入者識別モジュールに基づく通信装置が、特に、モバイル端末Bである例を使用することによって説明がなされている。
【００４１】
モバイル端末Bは、NFCモジュールと、アプリケーションプロセッサと、モデムとを備えることができ、以下のとおりである。
【００４２】
(1)NFCモジュール:
NFCモジュールは、特に、NFC機能を提供するために使用される、NFCチップであってよい。
【００４３】
たとえば、NFCモジュールは、特に、モバイル端末Bのアプリケーションプロセッサによって送信され、SIMカードモジュールのSIMカードが適切な位置にあるかどうかを検出するために使用される検出命令を受信し、検出命令をSIMカードモジュールに送信し、SIMカードモジュールによって返され、SIMカードが適切な位置にあることを示すために使用される応答メッセージ、またはSIMカードモジュールによって返され、SIMカードが適切な位置にないことを示すために使用される応答メッセージを受信し、この応答メッセージをモバイル端末Bのアプリケーションプロセッサに送信することができる。
【００４４】
別の例では、NFCモジュールは、特に、モデムによって送信されたSIMカード情報取得要求を受信し、SIMカード情報取得要求をSIMカードモジュールに送信して、SIMカードモジュールのSIMカード内の情報を取得し、SIMカード内の取得された情報をモデムに送信することができる。
【００４５】
(2)モデム:
モデムは、NFCを用いてSIMカード内の情報を取得し、SIMカード内の情報に従って基地局と通信するためにもっぱら使用される。
【００４６】
たとえば、モデムは、特に、SIMカード情報取得要求をモバイル端末BのNFCモジュールに送信して、これにより、モバイル端末BのNFCモジュールがSIMカード情報取得要求をSIMカードモジュールに送信し、モバイル端末BのNFCモジュールを使用することによって、SIMカード内にあり、SIMカードモジュールによって返される情報を受信することができる。
【００４７】
(3)アプリケーションプロセッサ:
アプリケーションプロセッサは、NFCを用いて、SIMカードモジュールのSIMカードが適切な位置にあるかどうかを判定し、SIMカードモジュールのSIMカードが適切な位置にあると判定したときに、SIMカードモジュールのSIMカード内の情報を取得するようにモデムをトリガし、さまざまな端末アプリケーションまたはサービスを処理するためにもっぱら使用される。
【００４８】
たとえば、アプリケーションプロセッサは、特に、モバイル端末BのNFCモジュールに、SIMカードモジュールのSIMカードが適切な位置にあるかどうかを検出するために使用される検出命令を送信し、これにより、NFCモジュールは検出命令をSIMカードモジュールに送信し、モバイル端末BのNFCモジュールを使用することによって、SIMカードモジュールによって返される応答メッセージを受信し、応答メッセージはSIMカードが適切な位置にあることを示すか、またはSIMカードが適切な位置にないことを示すことができる。
【００４９】
アプリケーションプロセッサは、シリアルポートまたはUSBを通じてモデムに接続され得る。図2aに示されているように、モデムは、コマンドチャネルを通じてアプリケーションプロセッサに制御コマンドを配信するか、またはコマンドチャネルを通じて、アプリケーションプロセッサによって送信される制御コマンドを受信することができ、モデムとアプリケーションプロセッサとの間のデータ伝送は、データチャネルを通じて実装され得る。
【００５０】
SIMカードモジュールは、以下のような、NFCモジュールおよび読み書きモジュールを備えることができる。
【００５１】
(1)NFCモジュール:
NFCモジュールは、特に、NFC機能を提供するために使用される、NFCチップであってよい。
【００５２】
たとえば、NFCモジュールは、特に、モバイル端末Bによって送信され、SIMカードモジュールのSIMカードが適切な位置にあるかどうかを検出するために使用される検出要求を受信し、応答メッセージをモバイル端末Bに返し、応答メッセージはSIMカードが適切な位置にあることを示すか、またはSIMカードが適切な位置にないことを示すことができる。
【００５３】
別の例では、NFCモジュールは、特に、モバイル端末Bによって送信されたSIMカード情報取得要求を受信し、SIMカード情報取得要求を読み書きモジュールに送信して、これにより、SIMカード情報取得要求に従って読み書きモジュールがSIMカード内の情報を読み出すようにし、SIMカード内にあり、読み書きモジュールによって送信される情報を受信し、SIMカード内の情報をモバイル端末Bに送信することができる。
【００５４】
(2)読み書きモジュール:
読み書きモジュールは、SIMカードモジュール内に装填されたSIMカードを読み書きするために使用される。
【００５５】
たとえば、読み書きモジュールは、特に、SIMカードモジュールのNFCモジュールによって転送されるSIMカード情報取得要求を受信し、SIMカード情報取得要求に従ってSIMカード内の情報を読み出し、SIMカード内の情報をSIMカードモジュールのNFCモジュールに送信して、SIMカードモジュールのNFCモジュールがSIMカードモジュール内の情報をモバイル端末Bに送信するようにすることができる。
【００５６】
図2bに示されているように、具体的な手順は以下のとおりであるものとしてよい。
【００５７】
201: モバイル端末Bのアプリケーションプロセッサは、NFCを用いて、SIMカードモジュールのSIMカードが適切な位置にあるかどうかを判定し、適切な位置にあれば、ステップ202を実行し、そうでなければ、手順を終了し、適宜、この場合に、ユーザは、SIMカードモジュールのSIMカードが適切な位置にないことを気付かされるものとしてよい。
【００５８】
たとえば、モバイル端末Aが通電していない場合、ユーザは、モバイル端末AからSIMカードを取り外して、SIMカードモジュールのSIMカードを入れ、次いで、SIMカードモジュールをモバイル端末Bに近づけるものとしてよく、この場合、モバイル端末Bは、NFCを用いてSIMカードモジュールのSIMカードにリモートアクセスし、たとえば、NFCを用いて、SIMカードモジュールのSIMカードが適切な位置にあるかどうかを判定することができる。
【００５９】
モバイル端末Bのアプリケーションプロセッサが、NFCを用いて、SIMカードモジュールのSIMカードが適切な位置にあるかどうかを判定することは、特に、以下のとおりであってよい。
【００６０】
モバイル端末Bのアプリケーションプロセッサは、検出要求をモバイル端末BのNFCモジュールに送信し、そこで、検出要求は、SIMカードモジュールのSIMカードが適切な位置にあるかどうかを判定することを示し、検出要求を受信した後、モバイル端末BのNFCモジュールは、検出要求をSIMカードモジュールのNFCモジュールに送信し、SIMカードがSIMカードモジュールのスロット内に存在する場合、SIMカードは適切な位置にあると判定され、次いで、SIMカードが適切な位置にあることを示す応答メッセージがSIMカードモジュールのNFCモジュールに返され、SIMカードモジュールのNFCモジュールは、モバイル端末BのNFCモジュールに、SIMカードが適切な位置にあることを示す応答メッセージを送信し、モバイル端末BのNFCモジュールは、アプリケーションプロセッサに、SIMカードが適切な位置にあることを示す応答メッセージを送信するか、またはそうでなく、SIMカードがSIMカードモジュールのスロット内に存在しない場合、SIMカードは適切な位置にないと判定され、次いで、SIMカードが適切な位置にないことを示す応答メッセージが、SIMカードモジュールのNFCモジュールに返され、SIMカードモジュールのNFCモジュールは、モバイル端末BのNFCモジュールに、SIMカードが適切な位置にないことを示す応答メッセージを送信し、モバイル端末BのNFCモジュールは、アプリケーションプロセッサに、SIMカードが適切な位置にないことを示す応答メッセージを送信する。
【００６１】
202: モバイル端末Bのモデムは、NFCを用いて、SIMカードモジュール内のSIMカード内の情報を読み出す。これは、たとえば、特に次のとおりであってよい。
【００６２】
モバイル端末Bのモデムは、SIMカード情報取得要求をモバイル端末BのNFCモジュールに送信し、SIMカード情報取得要求を受信した後、モバイル端末BのNFCモジュールは、SIMカード情報取得要求をSIMカードモジュールのNFCモジュールに送信し、SIMカードモジュールのNFCモジュールは、SIMカード情報取得要求をSIMカードモジュールの読み書きモジュールに送信し、読み書きモジュールは、SIMカード内の情報を読み出して、SIMカード内の読み出された情報をSIMカードモジュールのNFCモジュールに送信し、SIMカードモジュールのNFCモジュールは、SIMカードモジュール内の情報をモバイル端末BのNFCモジュールに送信し、次いで、モバイル端末BのNFCモジュールは、SIMカード内の情報をモバイル端末Bのモデムに送信する。
【００６３】
203: モバイル端末Bのモデムは、SIMカード内の取得された情報に従って基地局へのネットワーク登録を実行する。
【００６４】
204: ネットワーク登録が成功した後、モバイル端末Bのアプリケーションプロセッサは、モデムを使用することによって基地局とのデータ伝送を実行するか、またはモバイル端末Bのアプリケーションプロセッサは、モデムを使用することによってインターネットとのデータ伝送も実行することができる。
【００６５】
たとえば、モバイル端末Bは、音声、SMSメッセージ、もしくはMMSメッセージなどの音声データ伝送を実行するか、またはモバイル端末Bは、インターネットデータ伝送も実行し、これにより、SIMカードモジュールのSIMカードを使用することによって通信を実行するという目的を達成することができる。すなわち、モバイル端末Bは、モバイル端末AのSIMカードを使用することによって通信を実行することができる。
【００６６】
それに加えて、個人情報の保護を強化するために、NFCを用いてSIMカードにリモートアクセスする機能に対して特定の許可が設定されるものとしてよく、これにより、SIMカードは、SIMカードがリモートアクセスを許可した後にのみNFCを用いてリモートアクセスされ得る、すなわち、ステップ201の前に、この手順は、
SIMカードモジュールのSIMカードにリモートアクセスするための許可を取得するステップをさらに含み得る。
【００６７】
たとえば、特に、リモートアクセス要求が、SIMカードモジュールのSIMカードに送信され、SIMカードによって返されるリモートアクセス受け入れ許可が、受信され得るか、または
特に、SIMカードモジュールのSIMカードによって送信されたリモートアクセス招待が受信され、リモートアクセス招待が受け入れられ得る。
【００６８】
前述のことから、本発明のこの実施形態によれば、SIMカードモジュールのSIMカードは、SIMカード内の情報を取得するためにNFCを用いてリモートアクセスされ、次いで、SIMカード内の情報に従って通信が実行され、これにより、SIMカードのワイヤレス通信が実現され、ユーザによってSIMカードがモバイル端末に挿入されなくても、通信機能が実装され得ることを知ることができる。それに加えて、SIMカードモジュールは、SIMカードを読み取り、NFC通信を実行することを受け持つだけでよいので、SIMカードモジュールは、消費電力が少なく、さらに、サイズも小型にでき、SIMカードモジュールを持ち運ぶのに都合がよい。
【００６９】
実施形態3
実施形態2とは異なり、この実施形態は、SIMカードモジュールが、特に、モバイル端末Aに組み込まれ、加入者識別モジュールに基づく通信装置が、特に、モバイル端末Bである例を使用することによって説明される。
【００７０】
モバイル端末Bは、NFCモジュールと、アプリケーションプロセッサと、モデムとを備えることができ、以下のとおりである。
【００７１】
(1)NFCモジュール:
NFCモジュールは、特に、NFC機能を提供するために使用される、NFCチップであってよい。
【００７２】
たとえば、NFCモジュールは、特に、モバイル端末Bのアプリケーションプロセッサによって送信され、モバイル端末AのSIMカードが適切な位置にあるかどうかを検出するために使用される検出命令を受信し、検出命令をモバイル端末Aに送信し、モバイル端末Aによって返され、SIMカードが適切な位置にあることを示すために使用される応答メッセージ、またはモバイル端末Aによって返され、SIMカードが適切な位置にないことを示すために使用される応答メッセージを受信し、この応答メッセージをモバイル端末Bのアプリケーションプロセッサに送信することができる。
【００７３】
別の例では、NFCモジュールは、特に、モデムによって送信されたSIMカード情報取得要求を受信し、SIMカード情報取得要求をモバイル端末Aに送信して、モバイル端末AのSIMカード内の情報を取得し、SIMカード内の取得された情報をモデムに送信することができる。
【００７４】
(2)モデム:
モデムは、NFCを用いてモバイル端末AのSIMカード内の情報を取得し、SIMカード内の情報に従って基地局と通信するためにもっぱら使用される。
【００７５】
たとえば、モデムは、特に、SIMカード情報取得要求をモバイル端末BのNFCモジュールに送信して、これにより、モバイル端末BのNFCモジュールがSIMカード情報取得要求をモバイル端末Aに送信し、モバイル端末BのNFCモジュールを使用することによって、SIMカード内にあり、モバイル端末Aによって返される情報を受信することができる。
【００７６】
(3)アプリケーションプロセッサ:
アプリケーションプロセッサは、NFCを用いて、モバイル端末AのSIMカードが適切な位置にあるかどうかを判定し、モバイル端末AのSIMカードが適切な位置にあると判定したときに、モバイル端末AのSIMカード内の情報を取得するようにモデムをトリガし、さまざまな端末アプリケーションまたはサービスを処理するためにもっぱら使用される。
【００７７】
たとえば、アプリケーションプロセッサは、特に、モバイル端末BのNFCモジュールに、モバイル端末AのSIMカードが適切な位置にあるかどうかを検出するために使用される検出命令を送信し、これにより、NFCモジュールは検出命令をモバイル端末Aに送信し、モバイル端末BのNFCモジュールを使用することによって、モバイル端末Aによって返される応答メッセージを受信し、応答メッセージはSIMカードが適切な位置にあることを示すか、またはSIMカードが適切な位置にないことを示すことができる。
【００７８】
アプリケーションプロセッサは、シリアルポートまたはUSBを通じてモデムに接続され得る。図3aに示されているように、モデムは、コマンドチャネルを通じてアプリケーションプロセッサに制御コマンドを配信するか、またはコマンドチャネルを通じて、アプリケーションプロセッサによって送信される制御コマンドを受信することができ、モデムとアプリケーションプロセッサとの間のデータ伝送は、データチャネルを通じて実装され得る。
【００７９】
モバイル端末Aは、以下のような、NFCモジュールおよび読み書きモジュールを備えることができる。
【００８０】
(1)NFCモジュール:
NFCモジュールは、特に、NFC機能を提供するために使用される、NFCチップであってよい。
【００８１】
たとえば、NFCモジュールは、特に、モバイル端末Bによって送信され、SIMカードモジュール内のSIMカードが適切な位置にあるかどうかを検出するために使用される検出要求を受信し、応答メッセージをモバイル端末Bに返し、応答メッセージはSIMカードが適切な位置にあることを示すか、またはSIMカードが適切な位置にないことを示すことができる。
【００８２】
別の例では、NFCモジュールは、特に、モバイル端末Bによって送信されたSIMカード情報取得要求を受信し、SIMカード情報取得要求を読み書きモジュールに送信して、これにより、SIMカード情報取得要求に従って読み書きモジュールがSIMカード内の情報を読み出すようにし、SIMカード内にあり、読み書きモジュールによって送信される情報を受信し、SIMカード内の情報をモバイル端末Bに送信することができる。
【００８３】
(2)読み書きモジュール:
読み書きモジュールは、モバイル端末A内に装填されたSIMカードを読み書きするために使用される。
【００８４】
たとえば、読み書きモジュールは、特に、モバイル端末AのNFCモジュールによって転送されるSIMカード情報取得要求を受信し、SIMカード情報取得要求に従ってSIMカード内の情報を読み出し、SIMカード内の情報をモバイル端末AのNFCモジュールに送信して、これにより、モバイル端末AのNFCモジュールが、SIMカード内の情報をモバイル端末Bのモデムに送信するようにできる。
【００８５】
図3bに示されているように、具体的な手順は以下のとおりであるものとしてよい。
【００８６】
301: モバイル端末Bのアプリケーションプロセッサは、NFCを用いて、モバイル端末AのSIMカードが適切な位置にあるかどうかを判定し、適切な位置にあれば、ステップ302を実行し、そうでなければ、手順を終了し、適宜、この場合に、ユーザは、モバイル端末AのSIMカードが適切な位置にないことを気付かされるものとしてよい。
【００８７】
たとえば、モバイル端末Aの電池残量が低下している場合、ユーザは、モバイル端末Aを省電力モードに切り替えることができ、この場合、モバイル端末Aは、モバイル端末AのSIMカードを読み取ることのみを受け持ち、NFCを用いてモバイル端末Bと通信し、たとえば、ユーザは、モバイル端末Aを移動してモバイル端末Bに近づけるものとしてよい。この場合、モバイル端末Bは、NFCを用いてモバイル端末AのSIMカードにリモートアクセスし、たとえば、NFCを用いて、モバイル端末AのSIMカードが適切な位置にあるかどうかを判定することができる。
【００８８】
モバイル端末Bのアプリケーションプロセッサが、NFCを用いて、モバイル端末AのSIMカードが適切な位置にあるかどうかを判定することは、特に、以下のとおりであってよい。
【００８９】
モバイル端末Bのアプリケーションプロセッサは、検出要求をモバイル端末BのNFCモジュールに送信し、そこで、検出要求は、モバイル端末AのSIMカードが適切な位置にあるかどうかを判定することを示し、検出要求を受信した後、モバイル端末BのNFCモジュールは、検出要求をモバイル端末AのNFCモジュールに送信し、SIMカードがモバイル端末Aのスロット内に存在する場合、SIMカードは適切な位置にあると判定され、次いで、SIMカードが適切な位置にあることを示すために使用される応答メッセージが、モバイル端末AのNFCモジュールに返され、モバイル端末AのNFCモジュールは、モバイル端末BのNFCモジュールに、SIMカードが適切な位置にあることを示す応答メッセージを送信し、モバイル端末BのNFCモジュールは、アプリケーションプロセッサに、SIMカードが適切な位置にあることを示す応答メッセージを送信するか、またはそうでなく、SIMカードがモバイル端末Aのスロット内に存在しない場合、SIMカードは適切な位置にないと判定され、次いで、SIMカードが適切な位置にないことを示す応答メッセージが、モバイル端末AのNFCモジュールに返され、モバイル端末AのNFCモジュールは、モバイル端末BのNFCモジュールに、SIMカードが適切な位置にないことを示す応答メッセージを送信し、モバイル端末BのNFCモジュールは、アプリケーションプロセッサに、SIMカードが適切な位置にないことを示す応答メッセージを送信する。
【００９０】
302: モバイル端末Bのモデムは、NFCを用いて、モバイル端末AのSIMカード内の情報を読み出す。これは、たとえば、特に次のとおりであってよい。
【００９１】
モバイル端末Bのモデムは、SIMカード情報取得要求をモバイル端末BのNFCモジュールに送信し、SIMカード情報取得要求を受信した後、モバイル端末BのNFCモジュールは、SIMカード情報取得要求をモバイル端末AのNFCモジュールに送信し、モバイル端末AのNFCモジュールは、SIMカード情報取得要求をモバイル端末Aの読み書きモジュールに送信し、読み書きモジュールは、SIMカード内の情報を読み出して、次いで、SIMカード内の読み出された情報をモバイル端末AのNFCモジュールに送信し、モバイル端末AのNFCモジュールは、SIMカードモジュール内の情報をモバイル端末BのNFCモジュールに送信し、次いで、モバイル端末BのNFCモジュールは、SIMカード内の情報をモバイル端末Bのモデムに送信する。
【００９２】
303: モバイル端末Bのモデムは、SIMカード内の取得された情報に従って基地局へのネットワーク登録を実行する。
【００９３】
304: ネットワーク登録が成功した後、モバイル端末Bのアプリケーションプロセッサは、モデムを使用することによって基地局とのデータ伝送を実行するか、またはモバイル端末Bのアプリケーションプロセッサは、モデムを使用することによってインターネットとのデータ伝送も実行することができる。
【００９４】
たとえば、モバイル端末Bは、音声、SMSメッセージ、もしくはMMSメッセージなどの音声データ伝送を実行するか、またはモバイル端末Bは、インターネットデータ伝送も実行し、これにより、モバイル端末AのSIMカードを使用することによって通信を実行するという目的を達成することができる。すなわち、モバイル端末Bは、モバイル端末AのSIMカードを使用することによって通信を実行することができる。
【００９５】
それに加えて、個人情報の保護を強化するために、NFCを用いてSIMカードにリモートアクセスする機能に対して特定の許可が設定されるものとしてよく、これにより、SIMカードは、SIMカードがリモートアクセスを許可した後にのみNFCを用いてリモートアクセスされ得る、すなわち、ステップ301の前に、この手順は、
モバイル端末AのSIMカードにリモートアクセスするための許可を取得するステップをさらに含み得る。
【００９６】
たとえば、特に、リモートアクセス要求が、モバイル端末AのSIMカードに送信され、SIMカードによって返されるリモートアクセス受け入れ許可が、受信され得るか、または
特に、モバイル端末AのSIMカードによって送信されたリモートアクセス招待が受信され、リモートアクセス招待が受け入れられ得る。
【００９７】
前述のことから、本発明のこの実施形態によれば、モバイル端末AのSIMカードは、SIMカード内の情報を取得するためにNFCを用いてリモートアクセスされ、次いで、SIMカード内の情報に従って通信が実行され、これにより、SIMカードのワイヤレス通信が実現され、ユーザによってSIMカードがモバイル端末に挿入されなくても、通信機能が実装され得ることを知ることができる。それに加えて、モバイル端末A内のSIMカードモジュールは、SIMカードを読み取り、NFC通信を実行することを受け持つだけでよいので、SIMカードモジュールは、消費電力が少なく、さらに、サイズも小型にでき、SIMカードモジュールを持ち運ぶのに都合がよい。
【００９８】
実施形態4
前述の方法をよりよく実装するために、本発明のこの実施形態は、加入者識別モジュールに基づく通信装置をさらに実現する。図4aに示されているように、加入者識別モジュールに基づく通信装置は、アクセスユニット401と、通信ユニット402とを備える。
【００９９】
アクセスユニット401は、NFCを用いて第1のデバイスのSIMカードにリモートアクセスして、SIMカード内の情報を取得するように構成される。
【０１００】
通信ユニット402は、SIMカード内の情報に従って通信を実行するように構成される。
【０１０１】
たとえば、アクセスユニット401は、NFCを用いて、第1のデバイスのSIMカードが適切な位置にあるかどうかを判定し、第1のデバイスのSIMカードが適切な位置にあると判定したときに、NFCを用いてSIMカード内の情報を取得するように特に構成され得る。
【０１０２】
それに加えて、アクセスユニット401が、第1のデバイスのSIMカードが適切な位置にないと判定した場合、この手順は終了する。
【０１０３】
たとえば、アクセスユニット401は、検出サブユニットと、NFCサブユニットと、取得サブユニットとを備えることができる。
【０１０４】
検出サブユニットは、NFCサブユニットに、第1のデバイスのSIMカードが適切な位置にあるかどうかを検出するために使用される検出命令を送信し、これにより、NFCサブユニットは検出命令を第1のデバイスに送信し、NFCサブユニットを使用することによって、第1のデバイスによって返される応答メッセージを受信し、ただし、応答メッセージはSIMカードが適切な位置にあることを示すか、またはSIMカードが適切な位置にないことを示し、SIMカードが適切な位置にあることを示す応答メッセージを受信した場合、SIMカード情報取得要求をNFCサブユニットに送信するように取得サブユニットをトリガするように構成される。
【０１０５】
NFCサブユニットは、検出サブユニットによって送信され、第1のデバイスのSIMカードが適切な位置にあるかどうかを検出するために使用される検出命令を受信し、検出命令を第1のデバイスに送信し、第1のデバイスによって返され、SIMカードが適切な位置にあることを示すか、またはSIMカードが適切な位置にないことを示すために使用される応答メッセージを受信し、応答メッセージを検出サブユニットに送信するように構成される。
【０１０６】
NFCサブユニットは、取得サブユニットによって送信されたSIMカード情報取得要求を受信し、SIMカード情報取得要求を第1のデバイスに送信して、第1のデバイスのSIMカード内の情報を取得し、SIMカード内の取得された情報を取得サブユニットに送信するようにさらに構成される。
【０１０７】
取得サブユニットは、SIMカード情報取得要求をNFCサブユニットに送信し、それにより、NFCサブユニットはSIMカード情報取得要求を第1のデバイスに送信し、NFCサブユニットを使用することによって、SIMカード内にあり、第1のデバイスによって返される情報を受信するように構成される。
【０１０８】
適宜、この場合、アクセスユニット401は、第1のデバイスのSIMカードが適切な位置にないことをユーザに気付かせることができる。
【０１０９】
適宜、図4bに示されているように、通信ユニット402は、登録サブユニット4021と、送信サブユニット4022とを備えることができる。
【０１１０】
登録サブユニット4021は、SIMカード内の情報に従って基地局へのネットワーク登録を実行するように構成される。
【０１１１】
送信サブユニット4022は、ネットワーク登録が成功した後に、基地局を使用することによってデータ伝送を実行するように構成される。
【０１１２】
たとえば、送信サブユニット4022は、基地局を使用することによって音声、SMSメッセージ、またはMMSメッセージなどの音声データ伝送を実行するように特に構成され得る。
【０１１３】
適宜、SIMカード内の情報に従って音声、SMSメッセージ、またはMMSメッセージなどのデータ伝送を実行することに加えて、送信サブユニット4022は、加入者識別モジュール内の情報に従ってインターネットデータ伝送を実行することもできる、すなわち、
通信ユニット402は、SIMカード内の情報に従ってインターネットデータ伝送を実行するようにも特に構成され得る。
【０１１４】
それに加えて、個人情報の保護を強化するために、NFCを用いてSIMカードにリモートアクセスする機能に対して特定の許可が設定されるものとしてよく、これにより、SIMカードは、SIMカードがリモートアクセスを許可した後にのみNFCを用いてリモートアクセスされ得る、すなわち、図4bに示されているように、SIMカードに基づく通信装置は、許可ユニット403をさらに備えることができる。
【０１１５】
許可ユニット403は、第1のデバイスのSIMカードにリモートアクセスするための許可を取得するように構成され、これは、たとえば、特に以下のとおりである。
許可ユニット403は、第1のデバイスのSIMカードにリモートアクセス要求を送信し、SIMカードによって返されるリモートアクセス受け入れ許可を受信するように特に構成され得るか、または
許可ユニット403は、第1のデバイスのSIMカードによって送信されたリモートアクセス招待を受信し、リモートアクセス招待を受け入れるように特に構成され得る。
【０１１６】
加入者識別モジュールに基づく通信装置は、特に、モバイル端末であってよく、モバイル端末は、特に、携帯電話またはタブレットコンピュータなどのデバイスであってもよいことに留意されたい。第1のデバイスは、特に、SIMカードが装填され得るSIMカードモジュールであってよく、SIMカードモジュールは、モバイル端末から独立しているか、またはモバイル端末に組み込まれていてもよい。
【０１１７】
それに加えて、NFCは近距離高周波ワイヤレス通信技術であるため、モバイル端末と第1のデバイスとの間の距離は、NFCが実装され得る範囲内に保たれるべきである、たとえば、モバイル端末と第1のデバイスとの間の距離は、10cm以内に保たれ、また別の例では、モバイル端末は、第1のデバイスに寄り掛かるものであってもよいことにさらに留意されたい。
【０１１８】
特定の実装において、前述のユニットは、独立したエンティティとして実装されるか、または同じエンティティまたはいくつかのエンティティとしてランダムに組み合わされ、実装されるものとしてよく、たとえば、アクセスユニット401および通信ユニット402は、アプリケーションプロセッサとモデムとを使用することによって特に実装され得る。前述のユニットの特定の実装について、前述の方法実施形態を参照しており、詳細について本明細書で再び説明することはしない。
【０１１９】
前述の説明から、本発明のこの実施形態の加入者識別モジュールに基づく通信装置のアクセスユニット401は、NFCを用いて第1のデバイスのSIMカードにリモートアクセスして、SIMカード内の情報を取得することができ、通信ユニット402は、SIMカード内の情報に従って通信を実行し、これにより、SIMカードのワイヤレス通信が実現され、ユーザによってSIMカードがモバイル端末に挿入されなくても、通信機能が実装され得ることを知ることができる。
【０１２０】
実施形態5
それに対応して、本発明のこの実施形態は、本発明の実施形態によるSIMカードに基づく任意の通信装置を備える、通信システムをさらに実現するが、詳細については、実施形態4を参照するとよい。たとえば、SIMカードに基づく通信装置が特にモバイル端末Aである例を使用することによって、詳細は以下のとおりであってよい。
【０１２１】
モバイル端末Aは、NFCを用いて第1のデバイスのSIMカードにリモートアクセスして、SIMカード内の情報を取得するようにし、SIMカード内の情報に従って通信を実行する。
【０１２２】
それに加えて、通信システムは、以下のような、第1のデバイスをさらに備えることができる。
【０１２３】
第1のデバイスは、モバイル端末Aのリモートアクセスを受け入れ、NFCを用いてSIMカード内の情報をモバイル端末Aに送信するように構成される。
【０１２４】
適宜、モバイル端末Aは、NFCを用いて、第1のデバイスのSIMカードが適切な位置にあるかどうかを特に判定し、SIMカードが適切な位置にある場合、NFCを用いてSIMカード内の情報を取得し、またはそうでなく、SIMカードが適切な位置にない場合、手順を終了するものとしてよい。適宜、ユーザは、第1のデバイスのSIMカードが適切な位置にないことを気付かされるものとしてよい。
【０１２５】
適宜、モバイル端末Aは、SIMカード内の情報に従って基地局へのネットワーク登録を実行し、ネットワーク登録が成功した後に、基地局を使用することによってデータ伝送を実行するように特に構成され得る。
【０１２６】
データ伝送は、複数の手段、たとえば、音声、SMSメッセージ、またはMMSメッセージなどの音声データ伝送の形をとり得る。
【０１２７】
確かに、SIMカード内の情報に従って音声、SMSメッセージ、またはMMSメッセージなどのデータ伝送を実行することに加えて、モバイル端末Aは、加入者識別モジュール内の情報に従ってインターネットデータ伝送をさらに実行することもできる、すなわち、
モバイル端末Aは、加入者識別モジュール内の情報に従ってインターネットデータ伝送を実行するようにも特に構成され得る。
【０１２８】
それに加えて、個人情報の保護を強化するために、NFCを用いてSIMカードにリモートアクセスする機能に対して特定の許可が設定されるものとしてよく、これにより、SIMカードは、SIMカードがリモートアクセスを許可した後にのみNFCを用いてリモートアクセスされ得る、すなわち、
モバイル端末Aは、第1のデバイスのSIMカードにリモートアクセスするための許可を取得するようにさらに構成されるものとしてよく、これは、たとえば、特に以下のとおりである。
【０１２９】
第1のデバイスのSIMカードにリモートアクセス要求が送信され、SIMカードによって返されるリモートアクセス受け入れ許可を受信するか、または、第1のデバイスのSIMカードによって送信されたリモートアクセス招待が受信され、リモートアクセス招待が受け入れられる。
【０１３０】
前述のデバイスの実装について、前述の実施形態を特に参照しており、詳細についてここで再び説明することはしない。
【０１３１】
前述のことから、本発明のこの実施形態によれば、モバイル端末AのSIMカードは、SIMカード内の情報を取得するためにNFCを用いてリモートアクセスされ、次いで、SIMカード内の情報に従って通信が実行され、これにより、SIMカードのワイヤレス通信が実現され、ユーザによってSIMカードがモバイル端末に挿入されなくても、通信機能が実装され得ることを知ることができる。それに加えて、第1のデバイスは、SIMカードを読み取り、NFC通信を実行することを受け持つだけでよいので、第1のデバイスは、消費電力が少なく、さらに、サイズも小型にでき、第1のデバイスを持ち運ぶのに都合がよい。
【０１３２】
実施形態6
本発明のこの実施形態は、通信システムをさらに実現する。図5に示されているように、通信システムは、プロセッサ501と、ストレージユニット502と、トランシーバユニット503とを備えることができる。
【０１３３】
プロセッサ501は、NFCを用いて第1のデバイスのSIMカードにリモートアクセスして、SIMカード内の情報を取得し、SIMカード内の情報に従って通信を実行するように構成される。
【０１３４】
ストレージユニット502は、SIMカード内の情報などの、さまざまなデータを格納するように構成される。
【０１３５】
トランシーバユニット503は、SIMカード内の情報などの、さまざまなデータを送受信するように構成される。
【０１３６】
適宜、処理ユニット501は、NFCを用いて、第1のデバイスのSIMカードが適切な位置にあるかどうかを判定し、SIMカードが適切な位置にある場合、NFCを用いてSIMカード内の情報を取得し、SIMカードが適切な位置にない場合、手順を終了するように特に構成されるものとしてよく、適宜、この場合に、ユーザは、第1のデバイスのSIMカードが適切な位置にないことを気付かされるものとしてよい。
【０１３７】
適宜、処理ユニット501は、SIMカード内の情報に従って基地局へのネットワーク登録を実行し、ネットワーク登録が成功した後に、基地局を使用することによってデータ伝送を実行するように特に構成され、および/または加入者識別モジュール内の情報に従ってインターネットデータ伝送を実行するようにも構成され得る。
【０１３８】
データ伝送は、音声通信(電話をかける)、SMSメッセージ通信、またはMMSメッセージ通信などの複数の形態をとり得る。すなわち、「基地局を使用することによってデータ伝送を実行する」ステップは、特に、
基地局を使用することによって音声、SMSメッセージ、またはMMSメッセージなどの音声データ伝送を実行するステップを含み得る。
【０１３９】
それに加えて、個人情報の保護を強化するために、NFCを用いてSIMカードにリモートアクセスする機能に対して特定の許可が設定されるものとしてよく、これにより、SIMカードは、SIMカードがリモートアクセスを許可した後にのみNFCを用いてリモートアクセスされ得る、すなわち、
プロセッサ501は、第1のデバイスのSIMカードにリモートアクセスするための許可を取得するようにさらに構成され得る。
【０１４０】
たとえば、プロセッサ501は、第1のデバイスのSIMカードにリモートアクセス要求を送信し、SIMカードによって返されるリモートアクセス受け入れ許可を受信するように特に構成され得るか、または
プロセッサ501は、第1のデバイスのSIMカードによって送信されたリモートアクセス招待を受信し、リモートアクセス招待を受け入れるようにも特に構成され得る。
【０１４１】
それに加えて、プロセッサ501は、ストレージユニット502内のデータおよびトランシーバユニット503によって受信されたデータをさらに処理することができ、ストレージユニット502は、トランシーバユニット503によって受信されたデータを格納するか、または処理ユニット501によって処理されたデータを格納すること、および同様のことを行うこともできる。
【０１４２】
前述のデバイスの特定の実装について、前述の実施形態を参照しており、詳細についてここで再び説明することはしない。
【０１４３】
それに加えて、通信システムは、他のデバイスをさらに備えることができるが、これについては、本明細書で再び説明しない。
【０１４４】
前述の説明から、本発明のこの実施形態における通信システムは、NFCを用いて第1のデバイスのSIMカードにリモートアクセスして、SIMカード内の情報を取得し、次いで、SIMカード内の情報に従って通信を実行し、これにより、SIMカードのワイヤレス通信が実現され、ユーザによってSIMカードがモバイル端末に挿入されなくても、通信機能が実装され得ることを知ることができる。それに加えて、第1のデバイスは、SIMカードを読み取り、NFC通信を実行することを受け持つだけでよいので、第1のデバイスは、消費電力が少なく、さらに、サイズも小型にでき、第1のデバイスを持ち運ぶのに都合がよい。
【０１４５】
当業者であれば、これらの実施形態における方法のステップの全部または一部が関連するハードウェアに命令を送るプログラムによって実装され得ることを理解できる。プログラムは、コンピュータ可読記憶媒体に格納され得る。記憶媒体として、読出し専用メモリ(Read-Only Memory、ROM)、ランダムアクセスメモリ(Random Access Memory、RAM)、磁気ディスク、または光ディスクが挙げられる。
【０１４６】
本発明の実施形態で実現されるSIMカードに基づく通信の方法、装置、およびシステムは、前述の説明で詳細に紹介されている。本発明の原理および実装方法について説明するために、本明細書では特定の例が使用されている。前述の実施形態の説明は、本発明の方法およびその核心の考え方を理解するのを助けることのみを意図している。それに加えて、当業者であれば、本発明の考え方に従って、特定の実装方法および応用範囲に関して修正を加えることができる。したがって、本明細書の内容は、本発明に対する制限として解釈されないものとする。
【符号の説明】
【０１４７】
401  アクセスユニット
402  通信ユニット
403  許可ユニット
501  プロセッサ
502  ストレージユニット
503  トランシーバユニット
4021  登録サブユニット
4022  送信サブユニット
【図１】
2016511991.tif 000003
【図２ａ】
2016511991.tif 000004
【図２ｂ】
2016511991.tif 000005
【図３ａ】
2016511991.tif 000006
【図３ｂ】
2016511991.tif 000007
【図４ａ】
2016511991.tif 000008
【図４ｂ】
2016511991.tif 000009
【図５】
2016511991.tif 000010
【手続補正書】
【提出日】平成27年8月14日(2015.8.14)
【手続補正１】
【補正対象書類名】明細書
【補正対象項目名】００１１
【補正方法】変更
【補正の内容】
【００１１】
第2の態様によれば、本発明の一実施形態は、SIMカードに基づく通信装置を実現し、この装置はアクセスユニットおよび通信ユニットを備え、
アクセスユニットは、NFCを用いて第1のデバイスのSIMカードにリモートアクセスして、SIMカード内の情報を取得するように構成され、および
通信ユニットは、SIMカード内の情報に従って通信を実行するように構成される。
【手続補正２】
【補正対象書類名】明細書
【補正対象項目名】００１６
【補正方法】変更
【補正の内容】
【００１６】
第3の態様により、本発明の一実施形態は、本発明の実施形態によるSIMカードに基づく任意の通信装置を備える、通信システムを実現する。
【手続補正３】
【補正対象書類名】明細書
【補正対象項目名】００９８
【補正方法】変更
【補正の内容】
【００９８】
実施形態4
前述の方法をよりよく実装するために、本発明のこの実施形態は、加入者識別モジュールに基づく通信装置を実現する。図4aに示されているように、加入者識別モジュールに基づく通信装置は、アクセスユニット401と、通信ユニット402とを備える。
【手続補正４】
【補正対象書類名】明細書
【補正対象項目名】０１２０
【補正方法】変更
【補正の内容】
【０１２０】
実施形態5
それに対応して、本発明のこの実施形態は、本発明の実施形態によるSIMカードに基づく任意の通信装置を備える、通信システムを実現するが、詳細については、実施形態4を参照するとよい。たとえば、SIMカードに基づく通信装置が特にモバイル端末Aである例を使用することによって、詳細は以下のとおりであってよい。
【手続補正５】
【補正対象書類名】明細書
【補正対象項目名】０１３２
【補正方法】変更
【補正の内容】
【０１３２】
実施形態6
本発明のこの実施形態は、通信システムを実現する。図5に示されているように、通信システムは、プロセッサ501と、ストレージユニット502と、トランシーバユニット503とを備えることができる。
【手続補正６】
【補正対象書類名】明細書
【補正対象項目名】０１３６
【補正方法】変更
【補正の内容】
【０１３６】
適宜、プロセッサ501は、NFCを用いて、第1のデバイスのSIMカードが適切な位置にあるかどうかを判定し、SIMカードが適切な位置にある場合、NFCを用いてSIMカード内の情報を取得し、SIMカードが適切な位置にない場合、手順を終了するように特に構成されるものとしてよく、適宜、この場合に、ユーザは、第1のデバイスのSIMカードが適切な位置にないことを気付かされるものとしてよい。
【手続補正７】
【補正対象書類名】明細書
【補正対象項目名】０１３７
【補正方法】変更
【補正の内容】
【０１３７】
適宜、プロセッサ501は、SIMカード内の情報に従って基地局へのネットワーク登録を実行し、ネットワーク登録が成功した後に、基地局を使用することによってデータ伝送を実行するように特に構成され、および/または加入者識別モジュール内の情報に従ってインターネットデータ伝送を実行するようにも構成され得る。
【手続補正８】
【補正対象書類名】明細書
【補正対象項目名】０１４１
【補正方法】変更
【補正の内容】
【０１４１】
それに加えて、プロセッサ501は、ストレージユニット502内のデータおよびトランシーバユニット503によって受信されたデータをさらに処理することができ、ストレージユニット502は、トランシーバユニット503によって受信されたデータを格納するか、またはプロセッサ501によって処理されたデータを格納すること、および同様のことを行うこともできる。
【国際調査報告】
2016511991.tif 000011
2016511991.tif 000012
2016511991.tif 000013
2016511991.tif 000014